(57)【要約】【課題】基礎の上に載置固定される木造建築物の被支持部材と前記基礎との間に介在させて、通気性と耐震性を高めることが出来る基礎用パッドを提案する。【解決手段】基板１とこの下側に突設されたカップ状部分２Ａ〜２Ｄを備えた木造建築物の基礎用パッドにおいて、基板１は、平面視が正方形のものであって、その四辺には帯状周側板部４ａが下向きに折曲形成され、前記四辺それぞれには、各辺の中央から等距離にある２箇所に、帯状周側板部４ａから外側へ突出する上下方向の突出貫通孔部６と、帯状周側板部４ａに形成した下向き舌片７とが、四辺の全周において交互に位置するように設けられ、２つの基礎用パッドを、それぞれの四辺の内の任意の辺どうしを隣接させた状態で、当該隣接する辺それぞれにある突出貫通孔部６に対して下向き舌片７を上から差し込んで、互いに連結することが出来る構成。【選択図】図１
2020070686.tif 000002
【特許請求の範囲】
【請求項１】
基礎上面とこの上に支持される木造建築物の被支持部材との間に介装される基礎用パッドであって、前記被支持部材の底面に当接する基板から前記基礎上面側に突出する複数のカップ状部分が一体に連設され、これら各カップ状部分の底面が前記基礎上面に当接するように構成された木造建築物の基礎用パッドにおいて、
前記基板は、平面視が正方形のものであって、その四辺には帯状周側板部が下向きに折曲形成され、前記四辺それぞれには、各辺の中央から等距離にある２箇所に、当該帯状周側板部から外側へ突出する上下方向の突出貫通孔部と、帯状周側板部に形成した下向き舌片とが、四辺の全周において交互に位置するように設けられ、２つの基礎用パッドを、それぞれの四辺の内の任意の辺どうしを隣接させた状態で、当該隣接する辺それぞれにある前記突出貫通孔部に対して前記下向き舌片を上から差し込んで、互いに連結することが出来るように構成されている、木造建築物の基礎用パッド。
【請求項２】
前記突出貫通孔部は、帯状周側板部の下側縁と平行に設けられた切込みと前記下側縁との間の帯状板部を外側へ突出させて、当該帯状板部の内側に形成され、前記下向き舌片は、帯状周側板部の下側縁の２箇所に形成した切欠部の間の帯状周側板部によって形成されている、請求項１に記載の木造建築物の基礎用パッド。
【発明の詳細な説明】
【技術分野】
【０００１】
本発明は、基礎と当該基礎の上に載置固定される土台との間に介装して通気性と耐震性能を改善するための木造建築物の基礎用パッドに関するものである。
【背景技術】
【０００２】
この種の木造建築物の基礎用パッドとして、特許文献１に記載されるように、基礎上面とこの上に支持される木造建築物の被支持部材(土台や柱など)との間に介装される基礎用パッドであって、前記被支持部材の底面に当接する基板から前記基礎上面側に突出する複数のカップ状部分が一体に連設され、これら各カップ状部分の底面が前記基礎上面に当接するように構成された木造建築物の基礎用パッドが知られている。そしてこの特許文献１に記載された基礎用パッドでは、被支持部材に対する支持面積を増大させるために、同じ構造のパッドどうしを連結することが出来るように構成されている、
【先行技術文献】
【特許文献】
【０００３】
【特許文献１】特開平９−１３７５１４号公報
【発明の概要】
【発明が解決しようとする課題】
【０００４】
しかしながら、特許文献１に記載されたパッドどうしの連結構造では、一方のパッドの１つの側辺の全巾にわたって突設された上側開放の溝状部に、他方のパッドの１つの側辺の全巾にわたって形成された帯状突出板部を上から嵌合させる構造であるため、２つのパッドを側辺どうし連結させるときには、当該２つのパッドの特定の側辺どうし、即ち、一方のパッドの溝状部を備えた側辺と他方のパッドの帯状突出板部を備えた側辺とを隣接させる必要があり、作業が手間取ることになる。
【課題を解決するための手段】
【０００５】
本発明は、上記のような従来の問題点を解消することのできる木造建築物の基礎用パッドを提案するものであって、本発明に係る木造建築物の基礎用パッドは、後述する実施例との関係を理解し易くするために、当該実施例の説明において使用した参照符号を括弧付きで付して示すと、基礎上面(13a)とこの上に支持される木造建築物の被支持部材(14)との間に介装される基礎用パッドであって、前記被支持部材(14)の底面(14a)に当接する基板(1)から前記基礎上面(13a)側に突出する複数のカップ状部分(2A〜2D)が一体に連設され、これら各カップ状部分(2A〜2D)の底面が前記基礎上面(13a)に当接するように構成された木造建築物の基礎用パッドにおいて、
前記基板(1)は、平面視が正方形のものであって、その四辺には帯状周側板部(4a)が下向きに折曲形成され、前記四辺それぞれには、各辺の中央から等距離にある２箇所に、当該帯状周側板部(4a)から外側へ突出する上下方向の突出貫通孔部(6)と、帯状周側板部(4a)に形成した下向き舌片(7)とが、四辺の全周において交互に位置するように設けられ、２つの基礎用パッドを、それぞれの四辺の内の任意の辺どうしを隣接させた状態で、当該隣接する辺それぞれにある前記突出貫通孔部(6)に対して前記下向き舌片(7)を上から差し込んで、互いに連結することが出来る構成となっている。
【発明の効果】
【０００６】
上記本発明の構成によれば、１つの基礎用パッドでは支持面積（基板の表面積）が不足するために複数の基礎用パッドを連結して使用する必要が生じた場合、互いに連結する２つの基礎用パッドの任意の辺どうしを隣接させたとき、必ず一方の基礎用パッド側の隣接辺にある突出貫通孔部と下向き舌片とが、他方の基礎用パッド側の隣接辺にある下向き舌片と突出貫通孔部とに隣接することになるので、両基礎用パッドの隣接辺を互いに斜めに交差させる状態にして、隣接辺のそれぞれにある下向き舌片が隣接辺のそれぞれにある突出貫通孔部の上に位置する状態にした後に、両基礎用パッドの隣接辺それぞれが互いに平行に隣接するように相対回転させることによって、隣接辺のそれぞれにある下向き舌片を隣接辺のそれぞれにある突出貫通孔部内に上から差し込むことが出来る。
【０００７】
上記の操作により、２つの基礎用パッドの任意の側辺どうしを、下向き舌片が突出貫通孔部内に挿入された連結部を当該側辺の２か所に形成して連結することが出来る。従って、複数の基礎用パッドを直列状に連結して、水平横方向又は水平縦方向に長い被支持部材の領域を支持し得る長大な基礎用パッドとして使用することが出来るだけでなく、上記の本発明の構成によれば、４つの基礎用パッドを四角形に連結して、太い柱などの下端面が大きな正方形の被支持部材を支持し得る大きな正方形の基礎用パッドとして使用することも可能になる。しかも連結操作に際して、基礎用パッドの任意の側辺どうしを隣接させて互いに２か所の連結部により強固に連結することが出来るので、連結操作を極めて能率良く且つ確実に行うことが出来る。
【０００８】
上記本発明を実施する場合、前記突出貫通孔部(6)は、帯状周側板部(4a)の下側縁から外側に折曲連設した水平板部に上下方向に貫通孔を穿設して構成し、前記下向き舌片(7)は、帯状周側板部(4a)の下側縁から下向きに突設した突起部によって構成することも出来るが、この構成では、前記突出貫通孔部を形成するための前記水平板部と、前記下向き舌片を形成させるための垂直板部を、帯状周側板部の下側縁から下向きに突設させておく必要があるので、正方形の板材から前記基板を形成する場合に、必要な正方形の板材のサイズが一回り大きくなり、コスト高になってしまう。これに対して、前記突出貫通孔部(6)を、帯状周側板部(4a)の下側縁と平行に設けられた切込みと前記下側縁との間の帯状板部(6a)を外側へ突出させて、当該帯状板部(6a)の内側に形成し、前記下向き舌片(7)は、帯状周側板部(4a)の下側縁の２箇所に形成した切欠部の間の帯状周側板部によって形成することにより、前記突出貫通孔部と前記下向き舌片を設けるために、基板を形成させるための正方向の板材のサイズを大きくする必要がなくなり、安価に実施することが出来る。
【図面の簡単な説明】
【０００９】
【図１】図１は、本発明の一実施例を示すパッドの表面側斜視図である。
【図２】図２は、同上パッドの正面図である。
【図３】図３は、同上パッドの平面図である。
【図４】図４は、図３のＡ−Ａ線断面図である。
【図５】図５は、同３のＢ−Ｂ線断面図である。
【図６】図６は、同３のＣ−Ｃ線断面図である。
【図７】図７は、同上パッドの底面図である。
【図８】図８は、同上パッドを土台上で直列状に連結した状態を示す平面図である。
【図９】図９は、図８の要部の拡大平面図である。
【図１０】図１０は、図９のＤ−Ｄ線断面図である。
【図１１】図１１は、４つのパッドを正方形に連結した状態を示す平面図である。
【発明を実施するための形態】
【００１０】
以下、本発明の好適な実施例について添付の図１〜図７に基づき説明すると、図示の基礎用パッドは、下孔加工された１枚の金属板のプレス加工により製造されたものであって、基板１と４つのカップ状部分２Ａ〜２Ｄを備えている。基板１は、ほぼ正方形のものでその中心位置に中央開口部３を備え、４つのカップ状部分２Ａ〜２Ｄは、基板１の４つの角部に配置されている。更に具体的に説明すると、基板１の四隅は、その内側に配置された各カップ状部分２Ａ〜２Ｄの上端の円形と同心状の円弧形に面取りされており、中央開口部３は、カップ状部分２Ａ〜２Ｄの上端の円形に沿うように湾曲する４つの凹曲縁部３ａと、これら４つの凹曲縁部３ａどうしを繋ぐように、周方向に隣り合う２つのカップ状部分の間に入り込む円弧形の突曲縁部３ｂから形成されている。又、基板１の外側辺と内側辺（中央開口部３の周縁）には、下側に折曲された一体成型の帯状周側板部４ａ，４ｂを備えている。
【００１１】
更に基板１には、周方向に隣り合う２つのカップ状部分２Ａ〜２Ｄ間に位置する４つの取付け孔５を備えている。この各取付け孔５は、裏面側に同心状の円錐形座ぐり凹部５ａを備えたもので、木ネジによってこの基板１を土台の底面に取り付けるとき、木ネジの頭部が円錐形座ぐり凹部５ａ内に嵌入し、上面側に突出する各取付け孔５の周囲の円錐形突出部が土台に食い込むように構成している。又、基板１の外側辺の帯状周側板部４ａには、円弧形の面取り角部間の四辺それぞれの、各辺の中央から等距離にある２箇所に、当該帯状周側板部４ａから外側へ突出する上下方向の突出貫通孔部６と、帯状周側板部４ａに形成した下向き舌片７とが、四辺の全周において交互に位置するように設けられている。具体的には、前記突出貫通孔部６は、帯状周側板部４ａの下側縁と平行に設けられた切込みと前記下側縁との間の帯状板部６ａを外側へ台形状に突出させて、当該帯状板部６ａの内側に形成され、前記下向き舌片７は、帯状周側板部４ａの下側縁の２箇所に形成した切欠部の間の帯状周側板部によって形成されている。
【００１２】
基板１に一体成型された４つのカップ状部分２Ａ〜２Ｄの詳細構造を説明すると、各カップ状部分２Ａ〜２Ｄは、基板１から下側に連なる上広がり状円錐筒状部分８と、この上広がり状円錐筒状部分８から下側に同心状に連なる直立筒状部分９、及びこの直立筒状部分９の下端の底板部１０から構成されている。直立筒状部分９は、横断面形状が楕円形であって、その上端の長径方向両端位置９ａが上広がり状円錐筒状部分８の中間高さに位置すると共に、その上端の短径方向両端位置９ｂが上広がり状円錐筒状部分８の下端に位置するように形成されている。
【００１３】
直立筒状部分９の底板部１０には、その短径位置での巾方向全域に及ぶ突条部１１が形成されている。この突条部１１は、前記直立筒状部分９の内側に突曲する断面円弧形であって、その断面切円形の内部空間１１ａの長さ方向の両端が直立筒状部分９の外側に開放され、この突条部１１の長さ方向の中央位置に、前記直立筒状部分９の内側と突条部１１の内部空間１１ａとを連通させる開口部１２が設けられている。各カップ状部分２Ａ〜２Ｄは、平面視において各直立筒状部分９の長径方向が基板１の中心と同心状の仮想円に沿うように配置され、従って、各直立筒状部分９の短径方向（突条部１１の長さ方向）は、基板１の中心と円弧状に面取りされた四隅を結ぶ仮想直線に沿う状態になっている。
【００１４】
以上のように構成された基礎用パッドは、図２に仮想線で示すように、鉄筋コンクリート製の基礎（例えば布基礎）１３の上面１３ａと、この上に支持させる被支持部材（図示例は木製の土台）１４の底面１４ａとの間に、基板１が被支持部材１４の底面１４ａに当接する向きで介装される。その取付け位置などは従来周知の通りであって、例えば基礎１３から被支持部材１４を固定するアンカーボルト１５が立設されているときは、そのアンカーボルト１５が中央開口部３を貫通する位置に配置される。このとき、基板１の平行２側辺が土台２１の長さ方向と平行になる向きで、基板１の４つの取付け孔５を利用して被支持部材１４の底面１４ａにこの基礎用パッドを予め釘止めしておくことが出来る。
【００１５】
上記のように底面１４ａの所定位置に基礎用パッドが取り付けられた被支持部材１４は、基礎１３から突出するアンカーボルト１５が１つの基礎用パッドの基板１の中央開口部３と当該被支持部材１４に設けられたアンカーボルト挿通孔を貫通するように、基礎１３の上に載置され、前記アンカーボルトで固定される。このようにして基礎１３と被支持部材１４との間に介装された基礎用パッドは、基礎１３と被支持部材１４との間に、この基礎用パッドの高さ（各カップ状部分２Ａ〜２Ｄの高さ）に相当する通気用の隙間が形成される。又、各カップ状部分２Ａ〜２Ｄの底板部１０と基礎１３の上面１３ａとの間にも、突条部１１の断面切円形の内部空間１１ａを通る通気路が形成され、当該通気路は、突条部１１の開口部１２を経由して各カップ状部分２Ａ〜２Ｄの内部空間を外部に開放する通気路と、各カップ状部分２Ａ〜２Ｄの内部空間に入り込んだ雨水や結露水の排水路にもなっている。
【００１６】
上記のように基礎用パッドが使用されることにより、被支持部材１４とその上に立設された柱などから成る軸組み構造体に地震発生時に垂直上下方向の圧縮力が作用した場合、その圧縮力が小さい間は、各カップ状部分２Ａ〜２Ｄの上広がり状円錐筒状部分８の軸心方向の弾性変形により吸収されるが、前記圧縮力が非常に大きくなった場合は、上広がり状円錐筒状部分８が軸方向に座屈変形すると共に、その下側の直立筒状部分９が軸心方向に弾性変形して、当該甚大な圧縮力も吸収出来るので、被支持部材１４を含む軸組み構造体内の柱などが座屈破損する恐れは十分に抑制出来る。この後の弾性復帰時の反発力は、直立筒状部分９の弾性復帰分だけであるからそれほど大きくはならず、この点でも柱などが座屈破損する恐れは十分に抑制出来る。
【００１７】
上記構成の本発明による基礎用パッドは、２枚の基礎用パッドを、基板１の四辺の内の何れどうしを隣接させても、一方の基礎用パッドの突出貫通孔部６には他方の基礎用パッドの下向き舌片７が、そして一方の基礎用パッドの下向き舌片７には他方の基礎用パッドの下向き舌片７が、隣接する状態になる。従って、上記構成の２枚の基礎用パッドを基板１どうしが互いに隣接するように配置し、一方の基板１の下向き舌片７を他方の基板１の突出貫通孔部６に上から差し込むと同時に、他方の基板１の下向き舌片７を一方の基板１の突出貫通孔部６に上から差し込むことによって、基板１どうしを面一の状態に連結することが出来る。この連結方法により、図８に示すように、複数枚の基礎用パッドを直列状に連結させたり、図１１に示すように、４枚の基礎用パッドを四角形に連結して４倍の面積を持つ大型の基礎用パッドを組み立てることが可能である。これら連結状態での隣接する２つの基礎用パッドの内、一方の基礎用パッドの突出貫通孔部６に対する他方の基礎用パッドの下向き舌片７の差し込み状態が、図９及び図１０に示されている。
【００１８】
尚、図１１に示すように、４枚の基礎用パッドを四角形に連結して組み立てられた４倍の面積を持つ大型の正方形基礎用パッドは、図１１に仮想線で示す非常に太い柱を被支持部材１４として基礎の上に直接立設させる場合に、当該被支持部材１４と基礎との間に介在させることが出来る。
【産業上の利用可能性】
【００１９】
本発明の木造建築物の基礎用パッドは、基礎の上に支持される木造建築物の土台や柱などの被支持部材と前記基礎との間に介在させて、通気性と耐震性を高めるのに効果的に活用出来る。
【符号の説明】
【００２０】
１    基板
２Ａ〜２Ｄ    カップ状部分
３    中央開口部
４ａ，４ｂ    帯状周側板部
５    取付け孔５
６    突出貫通孔部
６ａ    台形状突出帯状板部
７    下向き舌片
８    上広がり状円錐筒状部分
９    直立筒状部分
９ａ    長径方向両端位置
９ｂ    短径方向両端位置
１０    底板部
１１    突条部
１１ａ    断面切円形の内部空間
１２    開口部
１３    基礎
１４    土台や柱などの被支持部材
１５    アンカーボルト
【図１】
2020070686.tif 000003
【図２】
2020070686.tif 000004
【図３】
2020070686.tif 000005
【図４】
2020070686.tif 000006
【図５】
2020070686.tif 000007
【図６】
2020070686.tif 000008
【図７】
2020070686.tif 000009
【図８】
2020070686.tif 000010
【図９】
2020070686.tif 000011
【図１０】
2020070686.tif 000012
【図１１】
2020070686.tif 000013